(57)【要約】      （修正有）【課題】シート状体の着脱の作業が容易であり、シート状体を確実に保持することができる下敷きマットを提供する。【解決手段】シート状体を保持するための下敷きマット１であって、マット本体１１と、マット本体１１の底表面１０ｂに取り付けられてシート状体をマット本体１１との間で磁気吸引力により挟んで保持するためのシート押さえ部材１２とを有し、シート押さえ部材１２は、第１および第２シート押さえ部材１２ａ，ｂを有し、それぞれ、マット本体１１に固定された基部３１と、基部３１と一体的に形成され基部を軸として回動し底表面１０ｂに対して開閉可能な押さえ部３２とを有する。【選択図】図１
0003204528.tif 000002
【実用新案登録請求の範囲】
【請求項１】
シート状体を保持するための下敷きマットであって、
平面視が所定の形状である板状のマット本体と、
前記マット本体の底表面に取り付けられて前記シート状体を前記マット本体との間で磁気吸引力により挟んで保持するためのシート押さえ部材と、を有し、
前記シート押さえ部材は、前記マット本体の一方の端部に取り付けられた第１シート押さえ部材および他方の端部に取り付けられた第２シート押さえ部材を有し、
前記第１シート押さえ部材および第２シート押さえ部材は、それぞれ、
前記マット本体に固定された基部と、
前記基部と一体的に形成され前記基部を軸として回動し前記底表面に対して開閉可能な押さえ部と、
を有する、
ことを特徴とする下敷きマット。
【請求項２】
前記第１シート押さえ部材および第２シート押さえ部材は、それぞれ、
前記押さえ部が、前記基部に対して前記マット本体の中央に向かって延びるように形成され、かつ前記基部よりも前記マット本体の中央側において前記シート状体を挟むように形成された、
請求項１記載の下敷きマット。
【請求項３】
前記第１シート押さえ部材および第２シート押さえ部材は、それぞれ、
前記基部が、前記マット本体の端縁に沿って延びる長方形状であり、
前記押さえ部が、前記基部の長手方向の両端部から延びる２つのア−ム部を有し、
それぞれの前記ア−ム部の先端部に永久磁石が設けられている、
請求項２記載の下敷きマット。
【請求項４】
前記第１シート押さえ部材および第２シート押さえ部材は、いずれも、
可撓性を有する複数の樹脂シートを張り合わせることによって形成され、
前記永久磁石は、前記複数のシートの間に挟まれて保持されている、
請求項３記載の下敷きマット。
【請求項５】
前記シート押さえ部材は、
前記マット本体の中央部に取り付けられた第３シート押さえ部材を有し、
前記第３シート押さえ部材は、
前記マット本体の中央部に固定された基部と、
前記基部の両側から端縁に向かって延びるように一体的に形成され前記基部を軸として回動し前記底表面に対して開閉可能であって先端部に永久磁石が設けられた２つのア−ム部からなる押さえ部と、を有する、
請求項１ないし４のいずれかに記載の下敷きマット。
【請求項６】
前記マット本体は、平面視の形状が長方形であり、
少なくとも６ヵ所の前記永久磁石によって前記シート状体を挟んで保持する、
請求項５記載の下敷きマット。
【請求項７】
前記マット本体は、
硬質の板材と、
前記板材の上面側に配置された軟質のクッション材と、
前記クッション材の上面を覆う表カバー材と、
前記板材の底面を覆う底カバー材と、
を含んで形成され、
前記板材に設けられた穴に、前記シート押さえ部材に設けられる永久磁石との間で磁気吸引力が作用する永久磁石が設けられてなる、
請求項１ないし６のいずれかに記載の下敷きマット。
【考案の詳細な説明】
【技術分野】
【０００１】
本考案は、ペットなどのために用いる下敷きマットに関する。
【背景技術】
【０００２】
従来より、ペットなどのトイレ処理を簡便にするために吸水性のあるシート状体が用いられる。このようなシート状体は、居住室内外またはペットハウスなどの床面上に直接に拡げて使用され、または新聞紙やビニルシートを間に敷いて使用される。
【０００３】
その場合に、シート状体の上でペットが動くため、シート状体が皺になったり折り返されたりし、またトイレマットの位置が移動してしまうことがある。
【０００４】
これへの対処として、特許文献１には、矩形の平滑面を有する載せ受け部と、載せ受け部を囲むようにマットの周縁部に隆起して形成された縁堤部とを備えるトイレマットが提案されている。トイレマットの四隅には、シート状体の四隅を挿通するスリットと、スリットに挿通されたシート状体に摩擦係合する突起列とが設けられる。
【先行技術文献】
【特許文献】
【０００５】
【特許文献１】実用新案登録第３１９０６９１号公報
【考案の概要】
【考案が解決しようとする課題】
【０００６】
特許文献１のトイレマットでは、使用に際してシート状体の四隅をスリットに挿通して突起列に係合させる作業が必要であるが、この作業が必ずしも容易ではなく時間を要することがある。
【０００７】
また、突起列による摩擦係合力よりも大きい力が作用した場合には、シート状体がスリットから抜け出てしまうことがあり、シート状体の保持力において課題があった。
【０００８】
本考案は、上述の問題に鑑みてなされたもので、シート状体の着脱の作業が容易でありかつシート状体を確実に保持することのできる下敷きマットを提供することを目的とする。
【課題を解決するための手段】
【０００９】
本考案の一実施形態に係る下敷きマットは、シート状体を保持するための下敷きマットであって、平面視が所定の形状である板状のマット本体と、前記マット本体の底表面に取り付けられて前記シート状体を前記マット本体との間で磁気吸引力により挟んで保持するためのシート押さえ部材と、を有し、前記シート押さえ部材は、前記マット本体の一方の端部に取り付けられた第１シート押さえ部材および他方の端部に取り付けられた第２シート押さえ部材を有し、前記第１シート押さえ部材および第２シート押さえ部材は、それぞれ、前記マット本体に固定された基部と、前記基部と一体的に形成され前記基部を軸として回動し前記底表面に対して開閉可能な押さえ部と、を有する。
【００１０】
好ましくは、前記第１シート押さえ部材および第２シート押さえ部材は、それぞれ、前記押さえ部が、前記基部に対して前記マット本体の中央に向かって延びるように形成され、かつ前記基部よりも前記マット本体の中央側において前記シート状体を挟むように形成される。
【００１１】
好ましくは、前記シート押さえ部材は、前記マット本体の中央部に取り付けられた第３シート押さえ部材を有する。
【考案の効果】
【００１２】
本考案によると、シート状体の着脱の作業が容易であり、シート状体を確実に保持することができる。
【図面の簡単な説明】
【００１３】
【図１】本考案に係る実施形態の下敷きマットの裏面図である。
【図２】図１の下敷きマットの側面図および断面図である。
【図３】下敷きマットの一部を拡大して示す断面図である。
【図４】シート押さえ部材を開けた状態を示す図である。
【図５】シート状体を下敷きマットに取り付ける際の様子を示す図である。
【考案を実施するための形態】
【００１４】
図１には本考案に係る一実施形態の下敷きマット１の裏面図が、図２には図１の下敷きマット１の側面図および断面図が、それぞれ示されている。なお、図２（Ａ）は図１の上側から見た側面図、図２（Ｂ）は図１におけるＡ−Ａ線断面矢視図、図２（Ｃ）は図１におけるＢ−Ｂ線断面矢視図である。
【００１５】
図１および図２において、下敷きマット１は、シート状体ＳＴを保持するためのものであり、所定の形状である板状のマット本体１１、および、マット本体１１の底表面１０ｂに取り付けられてシート状体ＳＴをマット本体１１との間で磁気吸引力により挟んで保持するためのシート押さえ部材１２を有する。
【００１６】
本実施形態において、マット本体１１は、平面視が長方形であり、表表面１０ａは何も取り付けられていない滑らかな平面である。
【００１７】
シート押さえ部材１２は、マット本体１１の一方の端部１１ａに取り付けられた第１シート押さえ部材１２ａおよび他方の端部１１ｂに取り付けられた第２シート押さえ部材１２ｂを有する。
【００１８】
第１シート押さえ部材１２ａおよび第２シート押さえ部材１２ｂは、それぞれ、マット本体１１に固定された基部３１、および、基部３１と一体的に形成され基部３１を軸として回動し底表面１０ｂに対して開閉可能な押さえ部３２を有する（図４参照）。つまり、ここでは、基部３１の一部が固定された状態で、押さえ部３２または基部３１の他の一部が撓んで回動する。
【００１９】
押さえ部３２は、基部３１に対してマット本体１１の中央に向かって延びるように形成され、かつ基部３１よりもマット本体１１の中央側においてシート状体ＳＴを挟むように形成される。
【００２０】
また、基部３１は、マット本体１１の端縁に沿って延びる長方形状であり、押さえ部３２は、基部３１の長手方向の両端部からそれに対して直角方向に延びる２つのア−ム部３２ａ，ｂを有する。それぞれのア−ム部３２ａ，ｂの先端部に、円盤形状の永久磁石３５（３５ａ，３５ｂ）が設けられている。
【００２１】
第１シート押さえ部材１２ａおよび第２シート押さえ部材１２ｂは、それぞれの基部３１の縁部に沿って糸３３によってマット本体１１の底表面１０ｂに縫い付けられ、これによってマット本体１１に取り付けられている。
【００２２】
第１シート押さえ部材１２ａには、その表面に、床面などとの間での滑り止めのための滑り止めシート３４が張り付けられている。
【００２３】
図３を参照して、第１シート押さえ部材１２ａおよび第２シート押さえ部材１２ｂは、いずれも、可撓性を有する複数の、ここでは２枚の樹脂シート５１，５２を、糸５３で縫い付けて張り合わせることによって形成される。永久磁石３５は、２枚の樹脂シート５１，５２の間に挟まれて保持されている。なお、永久磁石３５は、両面粘着テープ５４によって移動しないように固定される。
【００２４】
なお、樹脂シート５１，５２として、合成樹脂または合成ゴムなどのシート、または合成皮革などを用いることが可能である。
【００２５】
図１に戻って、シート押さえ部材１２として、マット本体１１の中央部に取り付けられた第３シート押さえ部材１２ｃを有する。
【００２６】
第３シート押さえ部材１２ｃは、マット本体１１の中央部に糸４３によって縫い付けられて固定された基部４１、および、基部４１の両側から端縁に向かって延びるように一体的に形成され基部４１を軸として回動し底表面１０ｂに対して開閉可能であって先端部に永久磁石３５（３５ｃ）が設けられた２つのア−ム部４２ａ，４２ｂからなる押さえ部４２を有する。
【００２７】
第３シート押さえ部材１２ｃは、第１シート押さえ部材１２ａおよび第２シート押さえ部材１２ｂと同様に、可撓性を有する２枚の樹脂シートを糸で縫い付けることによって形成される。永久磁石３５は２枚の樹脂シートの間に挟まれて保持される。
【００２８】
図３に示すように、マット本体１１は、硬質の板材６１、板材６１の上面側に配置された軟質のクッション材６２、クッション材６２の上面を覆う表カバー材６３、および、板材６１の底面を覆う底カバー材６４を含んで形成される。
【００２９】
なお、板材６１として、ベニヤ板、杉板、合板、合成樹脂板、ダンボールなど、種々の材料による板材を用いることができる。
【００３０】
板材６１の６ヵ所に穴６１ａが設けられ、各穴６１ａに、シート押さえ部材１２に設けられる永久磁石３５との間で磁気吸引力が作用する永久磁石３６が設けられる。つまり、これら永久磁石３５，３６は、互いに異なる磁極が対向するように配置される。
【００３１】
永久磁石３６の厚さが板材６１の厚さよりも小さいので、穴６１ａの余った空間にクッション材６５が嵌め込まれる。なお、永久磁石３６およびクッション材６５は、粘着テープ６６，６７によって穴６１ａ内で移動しないように固定される。
【００３２】
クッション材６２，６５には、ポリエチレンウレタンシ−トなどの合成樹脂材料を用いればよい。
【００３３】
表カバー材６３および底カバー材６４は、いずれもビニールまたは合成皮革などの樹脂シートなどからなり、これらが板材６１およびクッション材６２の全体を覆った状態で、その周縁部が全周に渡って熱圧着などによって連結され、一体化される。
【００３４】
したがって、図４に示すように、シート押さえ部材１２は、マット本体１１に固定された基部３１を軸として、押さえ部３２すなわち各ア−ム部３２ａ，ｂを、矢印Ｍ１方向に回動して開閉することができる。押さえ部３２を開いた状態で、シート状体ＳＴの端部を折り返して挟み、その状態で押さえ部３２を閉じることによって、シート状体ＳＴをマット本体１１に押しつけて固定し保持することができる。押さえ部３２を閉じたときは、永久磁石３５と永久磁石３６との磁気吸着によってその状態が保持される。
【００３５】
押さえ部３２が基部３１に対してマット本体１１の中央に向かって延びているので、押さえ部３２を閉じる際に、シート状体ＳＴの端部を引っ張る方向に力が作用し、これによって、シート状体ＳＴが十分に張った状態で下敷きマット１に保持されることとなる。
【００３６】
次に、下敷きマット１の使用方法について説明する。
【００３７】
図５（Ａ）に示すように、シート状体ＳＴを拡げた状態で、その上に下敷きマット１の底表面１０ｂが上になるように載置する。
【００３８】
第１シート押さえ部材１２ａおよび第２シート押さえ部材１２ｂを開いた状態で、シート状体ＳＴの長手方向の両側の端部ＳＴａ，ｂをそれぞれ２回折り返して各押さえ部３２の永久磁石３５の部分の下にまで潜らせ、この状態で第１シート押さえ部材１２ａおよび第２シート押さえ部材１２ｂを閉じる。これにより、図５（Ｂ）に示す状態となる。
【００３９】
次に、第３シート押さえ部材１２ｃの２つのア−ム部４２ａ，４２ｂを開いた状態で、他方の両側の端部ＳＴｃ，ｄをそれぞれ折り返してア−ム部４２ａ，４２ｂの永久磁石３５の部分の下にまで潜らせ、この状態でア−ム部４２ａ，４２ｂを閉じる。これにより、シート状体ＳＴの端部ＳＴａ，ｂの中央が保持され、図５（Ｃ）に示す状態となる。
【００４０】
図５（Ｃ）に示す状態の下敷きマット１を、底表面１０ｂが下になるように、つまりシート状体ＳＴが上面になるように、所定の場所に載置して使用する。
【００４１】
この状態では、シート状体ＳＴの上にペットが乗って動いても、シート状体ＳＴが下敷きマット１に対してずれたり移動したりすることがなく、シート状体ＳＴが皺になったり折り返されたりすることもない。下敷きマット１には硬質の板材６１が入っているので、また滑り止めシート３４の存在によって、下敷きマット１が容易に移動してしまうことがない。また、下敷きマット１が容易に変形することがない。
【００４２】
シート状体ＳＴは、その四辺の端部が下敷きマット１の縁で折り返され、下敷きマット１の底表面１０ｂにおいて固定されるので、シート状体ＳＴを確実に保持することができる。
【００４３】
また、シート状体ＳＴの２辺の端部が２回折り返されて押さえ部３２の下に潜った状態で固定されるので、シート状体ＳＴが弛なだりすることががなく、シート状体ＳＴは確実に保持される。
【００４４】
しかも、シート状体ＳＴを永久磁石３５，３６による磁気吸引力により保持しているので、シート状体ＳＴの着脱の作業が容易である。
【００４５】
ペットはクッション材６２の上に乗ることとなるので、乗り心地がよくペットにとって快適である。
【００４６】
特に、ペットを外出や旅行に連れ出すために携帯用のペットハウスを利用する際に、シート状体ＳＴの張り直しや交換を長時間に渡ってできないことがある。そのような場合においても、本実施形態の下敷きマット１を用いることによって、皺になることなく十分に張った状態を維持することができ、ペットハウス内での位置も安定し、手間がかかることなく安心である。
【００４７】
上に述べた実施形態においては、６ヵ所の永久磁石３５，３６によって保持したが、５ヵ所以下または７ヵ所以上であってもよい。下敷きマット１の寸法が小さい場合には、第３シート押さえ部材１２ｃを省略し、第１シート押さえ部材１２ａおよび第２シート押さえ部材１２ｂによる４ヵ所の永久磁石３５，３６によって保持することでも十分である。さらに、第１シート押さえ部材１２ａおよび第２シート押さえ部材１２ｂを、それぞれ１つの押さえ部３２のみとすることも可能である。
【００４８】
上に述べた実施形態において、永久磁石３５，３６のいずれか一方を磁性金属としてもよい。シート押さえ部材１２をマット本体１１に固定するために、また２枚の樹脂シート５１，５２、表カバー材６３と底カバー材６４、その他の部材を固定するために、糸などに代えて、またはそれらとともに、接着剤などを用いてもよい。
【００４９】
マット本体１１の形状を長方形としたが、これ以外の形状、例えば、正方形、多角形、楕円形などとしてもよい。シート状体ＳＴとして、トイレ処理のためのシート状体以外に、種々のシート状体を用いることができる。また、ペット用以外の用途のシート状体ＳＴにも適用できる。
【００５０】
その他、マット本体１１、シート押さえ部材１２、および下敷きマット１の各部または全体の構成、構造、形状、材質、個数、配置などは、本考案の主旨に沿って適宜変更することができる。                                                                  
【符号の説明】
【００５１】
１  下敷きマット
１０ａ  表表面
１０ｂ  底表面
１１  マット本体
１２  シート押さえ部材
１２ａ  第１シート押さえ部材
１２ｂ  第２シート押さえ部材
１２ｃ  第３シート押さえ部材
３１  基部
３２  押さえ部
３２ａ，ｂ  ア−ム部
３５  永久磁石
３６  永久磁石
４１  基部
４２  押さえ部
４２ａ，ｂ  ア−ム部
５１，５２  シート
６１  板材
６２  クッション材
６３  表カバー材
６４  底カバー材
ＳＴ  シート状体
【図１】
0003204528.tif 000003
【図２】
0003204528.tif 000004
【図３】
0003204528.tif 000005
【図４】
0003204528.tif 000006
【図５】
0003204528.tif 000007